【手続補正書】
【提出日】平成20年6月9日(2008.6.9)
【手続補正１】
【補正対象書類名】特許請求の範囲
【補正対象項目名】全文
【補正方法】変更
【補正の内容】
【特許請求の範囲】
【請求項１】
所定の色空間の色信号を印刷装置で用いる色材の色材信号に変換するための色分解テーブルであって、前記色信号によって規定される格子点に対応させて前記色材信号を格納した色分解テーブルを作成する色処理装置において、
前記色分解テーブルを構成する格子点について前記色材信号を求める算出手段と、
該算出手段が求めた色材信号のうち、印刷媒体に付与される色材量に対する制限値を超える色材信号について、その値を小さくすべく補正する補正手段と
を有し、前記補正手段は、
前記制限値を超える色材信号のうち主要色の色材の色材信号に対する補正量を、当該主要色の色材以外の色材において前記主要色に近い色を生成可能な色材の色材信号に対する補正量に振り分けるとともに、前記主要色の色材の色材信号に対する補正量を小さくするように前記主要色の色材および前記主要色に近い色を生成可能な色材の色材信号に対する補正量に修正を行い、前記修正後の補正量に基づき前記主要色の色材および前記主要色に近い色を生成可能な色材の色材信号に対して補正を行うことを特徴とする色処理装置。
【請求項２】
前記修正後の補正量は、前記主要色と前記主要色以外の色材の色との色相角の差に基づき算出されることを特徴とする請求項１に記載の色処理装置。
【請求項３】
前記補正手段は、複数の前記格子点によって構成されるライン上の当該複数の格子点のうち、付与される色材量が最大となる格子点を選択し、該選択された格子点の最大の色材信号を持つ色材の色を主要色とすることを特徴とする請求項１または請求項２に記載の色処理装置。
【請求項４】
前記補正手段は、前記主要色に近い色を生成可能な色として、前記印刷装置で用いる色材の色において、当該主要色の補色があるときはその補色とし、該補色がないときは、当該主要色の濃度の濃い色材の淡色とし、前記補色および前記淡色のいずれもないときは、当該主要色以外の総ての色とすることを特徴とする請求項１から請求項３のいずれかに記載の色処理装置。
【請求項５】
前記算出手段によって算出された色材信号に対して平滑化処理を行う平滑化手段をさらに有することを特徴とする請求項１から請求項４のいずれかに記載の色処理装置。
【請求項６】
所定の色空間の色信号を印刷装置で用いる色材の色材信号に変換するための色分解テーブルであって、前記色信号によって規定される格子点に対応させて前記色材信号を格納した色分解テーブルを作成する色処理方法において、
前記色分解テーブルを構成する格子点について前記色材信号を求める算出工程と、
該算出工程が求めた色材信号のうち、印刷媒体に付与される色材量に対する制限値を超える色材信号について、その値を小さくすべく補正する補正工程と
を有し、前記補正工程は、
前記制限値を超える色材信号のうち主要色の色材の色材信号に対する補正量を、当該主要色の色材以外の色材において前記主要色に近い色を生成可能な色材の色材信号に対する補正量に振り分けるとともに、前記主要色の色材の色材信号に対する補正量を小さくするように前記主要色の色材および前記主要色に近い色を生成可能な色材の色材信号に対する補正量に修正を行い、前記修正後の補正量に基づき前記主要色の色材および前記主要色に近い色を生成可能な色材の色材信号に対して補正を行うことを特徴とする色処理方法。
【請求項７】
前記修正後の補正量は、前記主要色と前記主要色以外の色材の色との色相角の差に基づき算出されることを特徴とする請求項６に記載の色処理方法。
【請求項８】
前記補正工程は、複数の前記格子点によって構成されるライン上の当該複数の格子点のうち、付与される色材量が最大となる格子点を選択し、該選択された格子点の最大の色材信号を持つ色材の色を主要色とすることを特徴とする請求項６または請求項７に記載の色処理方法。
【請求項９】
前記補正工程は、前記主要色に近い色を生成可能な色として、前記印刷装置で用いる色材の色において、当該主要色の補色があるときはその補色とし、該補色がないときは、当該主要色の濃度の濃い色材の淡色とし、前記補色および前記淡色のいずれもないときは、当該主要色以外の総ての色とすることを特徴とする請求項６から請求項８のいずれかに記載の色処理方法。
【請求項１０】
前記算出工程によって算出された色材信号に対して平滑化処理を行う平滑化工程をさらに有することを特徴とする請求項６から請求項９のいずれかに記載の色処理方法。
【請求項１１】
コンピュータに、所定の色空間の色信号を印刷装置で用いる色材の色材信号に変換するための色分解テーブルであって、前記色信号によって規定される格子点に対応させて前記色材信号を格納した色分解テーブルを作成するための色処理を実行させるプログラムであって、前記色処理は、
前記色分解テーブルを構成する格子点について前記色材信号を求める算出工程と、
該算出工程が求めた色材信号のうち、印刷媒体に付与される色材量に対する制限値を超える色材信号について、その値を小さくすべく補正する補正工程と
を有し、前記補正工程は、
前記制限値を超える色材信号のうち主要色の色材の色材信号に対する補正量を、当該主要色の色材以外の色材において前記主要色に近い色を生成可能な色材の色材信号に対する補正量に振り分けるとともに、前記主要色の色材の色材信号に対する補正量を小さくするように前記主要色の色材および前記主要色に近い色を生成可能な色材の色材信号に対する補正量に修正を行い、前記修正後の補正量に基づき前記主要色の色材および前記主要色に近い色を生成可能な色材の色材信号に対して補正を行うことを特徴とするプログラム。
【請求項１２】
請求項１１に記載のプログラムをコンピュータによって読取り可能に記憶した記録媒体。
【手続補正２】
【補正対象書類名】明細書
【補正対象項目名】発明の名称
【補正方法】変更
【補正の内容】
【発明の名称】色処理装置および色処理方法
【手続補正３】
【補正対象書類名】明細書
【補正対象項目名】０００１
【補正方法】変更
【補正の内容】
【０００１】
本発明は、色処理装置および色処理方法に関し、特に、画像信号をインクやトナーなどの色材量の信号に変換する際に用いられる色分解テーブルの作成に関するものである。
【手続補正４】
【補正対象書類名】明細書
【補正対象項目名】００１１
【補正方法】変更
【補正の内容】
【００１１】
本発明は、このような観点からなされたものであり、打込量補正を行う際に、色域の拡大などのため色材量の減少を抑えたい色の色材について打込量補正量を抑制するとともに精度の高い色再現を可能とする色分解テーブルを作成することができる色処理装置および色処理方法を提供することを目的とする。
【手続補正５】
【補正対象書類名】明細書
【補正対象項目名】００１２
【補正方法】変更
【補正の内容】
【００１２】
そのために本発明では、所定の色空間の色信号を印刷装置で用いる色材の色材信号に変換するための色分解テーブルであって、前記色信号によって規定される格子点に対応させて前記色材信号を格納した色分解テーブルを作成する色処理装置において、前記色分解テーブルを構成する格子点について前記色材信号を求める算出手段と、該算出手段が求めた色材信号のうち、印刷媒体に付与される色材量に対する制限値を超える色材信号について、その値を小さくすべく補正する補正手段とを有し、前記補正手段は、前記制限値を超える色材信号のうち主要色の色材の色材信号に対する補正量を、当該主要色の色材以外の色材において前記主要色に近い色を生成可能な色材の色材信号に対する補正量に振り分けるとともに、前記主要色の色材の色材信号に対する補正量を小さくするように前記主要色の色材および前記主要色に近い色を生成可能な色材の色材信号に対する補正量に修正を行い、前記修正後の補正量に基づき前記主要色の色材および前記主要色に近い色を生成可能な色材の色材信号に対して補正を行うことを特徴とする。
【手続補正６】
【補正対象書類名】明細書
【補正対象項目名】００１３
【補正方法】変更
【補正の内容】
【００１３】
また、所定の色空間の色信号を印刷装置で用いる色材の色材信号に変換するための色分解テーブルであって、前記色信号によって規定される格子点に対応させて前記色材信号を格納した色分解テーブルを作成する色処理方法において、前記色分解テーブルを構成する格子点について前記色材信号を求める算出工程と、該算出工程が求めた色材信号のうち、印刷媒体に付与される色材量に対する制限値を超える色材信号について、その値を小さくすべく補正する補正工程とを有し、前記補正工程は、前記制限値を超える色材信号のうち主要色の色材の色材信号に対する補正量を、当該主要色の色材以外の色材において前記主要色に近い色を生成可能な色材の色材信号に対する補正量に振り分けるとともに、前記主要色の色材の色材信号に対する補正量を小さくするように前記主要色の色材および前記主要色に近い色を生成可能な色材の色材信号に対する補正量に修正を行い、前記修正後の補正量に基づき前記主要色の色材および前記主要色に近い色を生成可能な色材の色材信号に対して補正を行うことを特徴とする。